(57)【特許請求の範囲】
【請求項１】
走査電極と維持電極とからなる表示電極対を有する放電セルを複数備えたプラズマディスプレイパネルの駆動方法であって、前記放電セルで初期化放電を発生させる初期化期間と、前記放電セルのうち発光させる放電セルを選択する書込み期間と、前記書込み期間で選択された放電セルで維持放電を発生させる維持期間とを有する複数のサブフィールドにより駆動するように構成するとともに、前記初期化期間における動作が異なる複数の駆動モードから１つの駆動モードを選択して前記プラズマディスプレイパネルを駆動するように構成し、かつ前記プラズマディスプレイパネルに対して離間して配置した温度センサが検出した温度から所定の低温補正温度を減算することにより最低推定温度を算出し、前記温度センサが検出した温度に所定の高温補正温度を加算することにより最高推定温度を算出するとともに、前記最低推定温度および前記最高推定温度にもとづき前記複数の駆動モードから１つの駆動モードを選択することを特徴とするプラズマディスプレイパネルの駆動方法。
【請求項２】
走査電極と維持電極とからなる表示電極対を有する放電セルを複数備えたプラズマディスプレイパネルと、前記プラズマディスプレイパネルに対して離間して配置された温度センサを有し前記温度センサが検出した温度から所定の低温補正温度を減算することにより最低推定温度を算出し、また前記温度センサが検出した温度に所定の高温補正温度を加算することにより最高推定温度を算出する温度推定回路と、前記放電セルで初期化放電を発生させる初期化期間と、前記放電セルのうち発光させる放電セルを選択する書込み期間と前記書込み期間で選択された放電セルで維持放電を発生させる維持期間とを有する複数のサブフィールドにより前記プラズマディスプレイパネルを駆動する駆動回路とを備え、
前記駆動回路は、前記最低推定温度および前記最高推定温度にもとづいて、前記初期化期間における動作が異なる複数の駆動モードから１つの駆動モードを選択して前記プラズマディスプレイパネルを駆動するように構成したことを特徴とするプラズマディスプレイ装置。
【発明の詳細な説明】
【技術分野】
【０００１】
本発明は、壁掛けテレビや大型モニターに用いられるプラズマディスプレイパネルの駆動方法およびプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には放電ガスが封入されている。ここで表示電極対とデータ電極との対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。各サブフィールドは、初期化期間、書込み期間および維持期間を有し、初期化期間では初期化放電を発生し、続く書込み動作に必要な壁電荷を各電極上に形成する。書込み期間では、表示を行うべき放電セルにおいて選択的に書込み放電を発生し壁電荷を形成する。そして維持期間では、走査電極と維持電極とからなる表示電極対に交互に維持パルスを印加し、書込み放電を起こした放電セルで維持放電を発生させ、対応する放電セルの蛍光体層を発光させることにより画像表示を行う。
【０００４】
また、このようなパネルにおいては、放電セルの温度に依存して放電特性が変化することが一般に知られている。そのため、このようなパネルを用いて画像を表示するプラズマディスプレイ装置においても、パネルの温度に依存してパネルに表示される画像の輝度やパネルを駆動する際の駆動マージン等が変化する。
【０００５】
そこで、パネルに表示される画像の品質がパネルの温度の影響を受けて劣化することのないように、パネルの温度を検出し、検出した温度に応じて様々な補正を施す方法が提案されている（例えば、特許文献１参照）。
【０００６】
特許文献１には、パネルの温度を検出するパネル温度検出部を備え、パネル温度検出部からの温度情報に応じて書込みパルス周期を変化させるように構成されたプラズマディスプレイ装置が開示されている。
【特許文献１】特開２００４−６１７０２号公報
【発明の開示】
【発明が解決しようとする課題】
【０００７】
しかしながら、パネルの温度はパネルの領域によって温度分布に偏りが生じるため表示領域全体が同一の温度になることはなく、また表示する画像によってもパネルの温度が大きく変化するため、パネル全体にわたりパネルの温度を正確に検出することは難しい。したがって、パネル温度検出部によって検出されるパネルの温度にもとづき補正を施したとしてもパネルを最適に駆動することは難しい。
【０００８】
本発明は、これらの課題に鑑みなされたものであり、温度センサが検出した温度にもとづきパネルのとりうる最高推定温度および最低推定温度を演算し、その最高推定温度または最低推定温度に応じた駆動を行うことで画像の表示品質を向上できるパネルの駆動方法およびプラズマディスプレイ装置を提供することを目的とする。
【課題を解決するための手段】
【０００９】
本発明は、走査電極と維持電極とからなる表示電極対を有する放電セルを複数備えたパネルの駆動方法であって、放電セルで初期化放電を発生させる初期化期間と、放電セルのうち発光させる放電セルを選択する書込み期間と、書込み期間で選択された放電セルで維持放電を発生させる維持期間とを有する複数のサブフィールドにより駆動するように構成するとともに、初期化期間の動作が異なる複数の駆動モードから１つの駆動モードを選択してパネルを駆動するように構成し、かつパネルに対して離間して配置した温度センサが検出した温度にもとづきパネルのとりうる最低推定温度および最高推定温度を演算するとともに、最低推定温度および最高推定温度にもとづき複数の駆動モードから１つの駆動モードを選択することを特徴とする。この方法により、パネルに対して離間して配置した温度センサが検出した温度にもとづきパネルのとりうる最高推定温度および最低推定温度を演算し、その最高推定温度または最低推定温度に応じた駆動を行うことで画像の表示品質を向上できるパネルの駆動方法を提供することが可能となる。
【００１０】
また、本発明のパネルの駆動方法は、温度センサによって検出された温度から所定の低温補正温度を減算することにより最低推定温度を算出し、最低推定温度が所定の低温しきい値以下の場合には低温の時に用いる低温駆動モードによる駆動を行い、温度センサによって検出された温度に所定の高温補正温度を加算することにより最高推定温度を算出し、最高推定温度が所定の高温しきい値以上の場合には高温の時に用いる高温駆動モードによる駆動を行うことが望ましい。
【００１１】
また、本発明のプラズマディスプレイ装置は、走査電極と維持電極とからなる表示電極対を有する放電セルを複数備えたパネルと、パネルに対して離間して配置された温度センサを有し温度センサが検出した温度にもとづきパネルのとりうる最高推定温度および最低推定温度を演算する温度推定回路と、放電セルで初期化放電を発生させる初期化期間と、放電セルのうち発光させる放電セルを選択する書込み期間と書込み期間で選択された放電セルで維持放電を発生させる維持期間とを有する複数のサブフィールドによりパネルを駆動する駆動回路とを備え、駆動回路は、最低推定温度および最高推定温度にもとづいて、初期化期間の動作が異なる複数の駆動モードから１つの駆動モードを選択してパネルを駆動するように構成したことを特徴とする。この構成により、パネルに対して離間して配置された温度センサが検出した温度にもとづきパネルのとりうる最高推定温度および最低推定温度を演算により算出し、その最高推定温度または最低推定温度に応じた駆動を行うことで画像の表示品質を向上できるプラズマディスプレイ装置を提供することが可能となる。
【００１２】
また、本発明のプラズマディスプレイ装置は、パネルの背面に間に熱伝導シートを介して配置したアルミシャーシを備え、温度センサは、パネルと熱伝導シートとアルミシャーシとのいずれとも直接接触しない位置に設けることが望ましい。
【００１３】
また、本発明のプラズマディスプレイ装置は、駆動回路は、温度センサによって検出された温度から所定の低温補正温度を減算することにより最低推定温度を算出し、最低推定温度が所定の低温しきい値以下の場合には低温の時に用いる低温駆動モードによる駆動を行い、温度センサによって検出された温度に所定の高温補正温度を加算することにより最高推定温度を算出し、最高推定温度が所定の高温しきい値以上の場合には高温の時に用いる高温駆動モードによる駆動を行うように構成することが望ましい。
【発明の効果】
【００１６】
本発明によれば、温度センサが検出した温度にもとづきパネルのとりうる最高推定温度および最低推定温度を演算し、その最高推定温度または最低推定温度に応じた駆動を行うことで画像の表示品質を向上したパネルの駆動方法およびプラズマディスプレイ装置を提供することが可能となる。
【発明を実施するための最良の形態】
【００１７】
以下、本発明の実施の形態におけるプラズマディスプレイ装置について、図面を用いて説明する。
【００１８】
（実施の形態１）
図１は、本発明の（実施の形態１）におけるパネル１０の構造を示す分解斜視図である。ガラス製の前面板２１上には、走査電極２２と維持電極２３とからなる表示電極対２８が複数形成されている。そして走査電極２２と維持電極２３とを覆うように誘電体層２４が形成され、その誘電体層２４上に保護層２５が形成されている。背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００１９】
これら前面板２１と背面板３１とは、微小な放電空間を挟んで表示電極対２８とデータ電極３２とが交差するように対向配置され、その外周部をガラスフリット等の封着材によって封着されている。そして放電空間には、例えばネオンとキセノンの混合ガスが放電ガスとして封入されている。本実施の形態においては、輝度向上のためにキセノン分圧を１０％とした放電ガスが用いられている。放電空間は隔壁３４によって複数の区画に仕切られており、表示電極対２８とデータ電極３２とが交差する部分に放電セルが形成されている。そしてこれらの放電セルが放電、発光することにより画像が表示される。
【００２０】
なお、パネルの構造は上述したものに限られるわけではなく、例えばストライプ状の隔壁を備えたものであってもよい。
【００２１】
図２は、本発明の（実施の形態１）におけるパネル１０の電極配列図である。パネル１０には、行方向に長いｎ本の走査電極ＳＣ１〜ＳＣｎ（図１の走査電極２２）およびｎ本の維持電極ＳＵ１〜ＳＵｎ（図１の維持電極２３）が配列され、列方向に長いｍ本のデータ電極Ｄ１〜Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。
【００２２】
図３は、本発明の（実施の形態１）におけるプラズマディスプレイ装置１の回路ブロック図である。プラズマディスプレイ装置１は、パネル１０、画像信号処理回路５１、データ電極駆動回路５２、走査電極駆動回路５３、維持電極駆動回路５４、タイミング発生回路５５、温度推定回路５８および各回路ブロックに必要な電源を供給する電源回路（図示せず）を備えている。
【００２３】
画像信号処理回路５１は、入力された画像信号ｓｉｇをサブフィールド毎の発光・非発光を示す画像データに変換する。データ電極駆動回路５２はサブフィールド毎の画像データを各データ電極Ｄ１〜Ｄｍに対応する信号に変換し各データ電極Ｄ１〜Ｄｍを駆動する。
【００２４】
温度推定回路５８は、温度を検出するために用いられる熱電対等の一般に知られた素子からなる温度センサ８１を有し、温度センサ８１で検出されたパネル１０周辺の温度、本実施の形態では筐体内部の温度からパネル１０のとりうる最高温度および最低温度の推定値（以下、単に「最高推定温度」、「最低推定温度」と表記する）を演算により算出し、その結果をタイミング発生回路５５に出力する。
【００２５】
タイミング発生回路５５は水平同期信号Ｈ、垂直同期信号Ｖおよび温度推定回路５８が推定した最高推定温度および最低推定温度をもとにして各回路ブロックの動作を制御する各種のタイミング信号を発生し、それぞれの回路ブロックへ供給する。走査電極駆動回路５３は、維持期間において走査電極ＳＣ１〜ＳＣｎに印加する維持パルスを発生するための維持パルス発生回路１００を有し、タイミング信号にもとづいて各走査電極ＳＣ１〜ＳＣｎをそれぞれ駆動する。維持電極駆動回路５４は、維持期間において維持電極ＳＵ１〜ＳＵｎに印加する維持パルスを発生するための維持パルス発生回路２００とを有し、維持電極ＳＵ１〜ＳＵｎを駆動する。
【００２６】
図４は、本発明の（実施の形態１）におけるプラズマディスプレイ装置の温度センサの取り付け位置を示す図であり、図４（ａ）はプラズマディスプレイ装置の背面図、図４（ｂ）はプラズマディスプレイ装置の断面図を拡大した図である。パネル１０の背面には熱伝導シート８６が密着して設けられ、さらに熱伝導シート８６に密着してアルミシャーシ８７が設けられている。そして、アルミシャーシ８７には各駆動回路を備えた回路基板８９がボス材８８を介して取り付けられており、回路基板８９の表面に温度センサ８１が取り付けられている。したがって、パネル１０と温度センサ８１とは空気層を挟んで隔てられており、温度センサ８１は、パネル１０に対して離間して配置、すなわちパネル１０と直接に接触しない位置に配置され、パネル１０と直接には熱的に結合しない構成となっている。
【００２７】
このように、本実施の形態では、温度センサ８１は、パネル１０と熱伝導シート８６とアルミシャーシ８７とのいずれとも直接に接触しない位置に設けられている。そして、パネル１０と温度センサ８１との間にボス材８８によって形成された空気層を挟むことで、パネル１０に温度センサ８１が直に接触しないようにし、温度センサ８１がパネル１０の局所的な熱を検出しないようにしている。なお、温度センサ８１は、パネル１０と直接には熱的に結合しない構成であれば他の位置に取り付けてあってもよい。
【００２８】
次に、パネル１０を駆動するための駆動電圧波形とその動作について説明する。プラズマディスプレイ装置１は、サブフィールド法、すなわち１フィールド期間を複数のサブフィールドに分割し、サブフィールド毎に各放電セルの発光・非発光を制御することによって階調表示を行う。それぞれのサブフィールドは初期化期間、書込み期間および維持期間を有する。
【００２９】
初期化期間では初期化放電を発生し、続く書込み放電に必要な壁電荷を各電極上に形成する。このときの初期化動作には、全ての放電セルで初期化放電を発生させる初期化動作（以下、「全セル初期化動作」と略記する）と、維持放電を行った放電セルで初期化放電を発生させる初期化動作（以下、「選択初期化動作」と略記する）とがある。書込み期間では、発光させるべき放電セルで選択的に書込み放電を発生し壁電荷を形成する。そして維持期間では、輝度重みに比例した数の維持パルスを表示電極対に交互に印加して、書込み放電を発生した放電セルで維持放電を発生させて発光させる。このときの比例定数を輝度倍率と呼ぶ。なお、サブフィールド構成の詳細については後述することとし、ここではサブフィールドにおける駆動電圧波形とその動作について説明する。
【００３０】
図５は、本発明の（実施の形態１）におけるパネル１０の各電極に印加する駆動電圧波形図である。図５には、全セル初期化動作を行うサブフィールドと選択初期化動作を行うサブフィールドとを示している。
【００３１】
まず、全セル初期化動作を行うサブフィールドについて説明する。
【００３２】
初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の電圧Ｖｉ１から、放電開始電圧を超える電圧に向かって緩やかに上昇する傾斜波形電圧を印加する（以下、初期化期間の前半部において走査電極ＳＣ１〜ＳＣｎに印加する、緩やかに上昇する電圧の最大値を「初期化電圧Ｖｒ」として引用する）。
【００３３】
この傾斜波形電圧が上昇する間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。ここで、電極上部の壁電圧とは電極を覆う誘電体層上、保護層上、蛍光体層上等に蓄積された壁電荷により生じる電圧を表す。
【００３４】
初期化期間後半部では、維持電極ＳＵ１〜ＳＵｎに正の電圧Ｖｅ１を印加し、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧（以下、「ランプ電圧」と記す）を印加する。この間に、走査電極ＳＣ１〜ＳＣｎと維持電極ＳＵ１〜ＳＵｎ、データ電極Ｄ１〜Ｄｍとの間でそれぞれ微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整される。以上により、全ての放電セルに対して初期化放電を行う全セル初期化動作が終了する。
【００３５】
続く書込み期間では、維持電極ＳＵ１〜ＳＵｎに電圧Ｖｅ２を、走査電極ＳＣ１〜ＳＣｎに電圧Ｖｃを印加する。次に、１行目の走査電極ＳＣ１に負の走査パルス電圧Ｖａを印加するとともに、データ電極Ｄ１〜Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧の差とが加算されたものとなり放電開始電圧を超える。そして、データ電極Ｄｋと走査電極ＳＣ１との間および維持電極ＳＵ１と走査電極ＳＣ１との間に書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３６】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００３７】
続く維持期間では、消費電力を削減するために電力回収回路を用いて駆動を行っているが、駆動電圧波形の詳細については後述することとして、ここでは維持期間における維持動作の概要について説明する。
【００３８】
まず走査電極ＳＣ１〜ＳＣｎに正の維持パルス電圧Ｖｓを印加するとともに維持電極ＳＵ１〜ＳＵｎに０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００３９】
続いて、走査電極ＳＣ１〜ＳＣｎには０（Ｖ）を、維持電極ＳＵ１〜ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対の電極間に電位差を与えることにより、書込み期間において書込み放電を起こした放電セルで維持放電が継続して行われる。
【００４０】
そして、維持期間の最後には走査電極ＳＣ１〜ＳＣｎと維持電極ＳＵ１〜ＳＵｎとの間にいわゆる細幅パルス状の電圧差を与えて、データ電極Ｄｋ上の正の壁電圧を残したまま、走査電極ＳＣｉおよび維持電極ＳＵｉ上の壁電圧を消去している。
【００４１】
次に、選択初期化動作を行うサブフィールドの動作について説明する。
【００４２】
選択初期化を行う初期化期間では、維持電極ＳＵ１〜ＳＵｎに電圧Ｖｅ１を、データ電極Ｄ１〜Ｄｍに０（Ｖ）をそれぞれ印加し、走査電極ＳＣ１〜ＳＣｎに電圧Ｖｉ３’から電圧Ｖｉ４に向かって緩やかに下降するランプ電圧を印加する。すると前のサブフィールドの維持期間で維持放電を起こした放電セルでは微弱な初期化放電が発生し、走査電極ＳＣｉ上および維持電極ＳＵｉ上の壁電圧が弱められる。またデータ電極Ｄｋに対しては、直前の維持放電によってデータ電極Ｄｋ上に十分な正の壁電圧が蓄積されているので、この壁電圧の過剰な部分が放電され、書込み動作に適した壁電圧に調整される。
【００４３】
一方、前のサブフィールドで維持放電を起こさなかった放電セルについては放電することはなく、前のサブフィールドの初期化期間終了時における壁電荷がそのまま保たれる。このように選択初期化動作は、直前のサブフィールドの維持期間で維持動作を行った放電セルに対して選択的に初期化放電を行う動作である。
【００４４】
続く書込み期間の動作は全セル初期化を行うサブフィールドの書込み期間の動作と同様であるため説明を省略する。続く維持期間の動作も維持パルスの数を除いて同様である。
【００４５】
次に、サブフィールド構成について説明する。図６は、本発明の（実施の形態１）におけるサブフィールド構成を示す図である。図６はサブフィールド法における１フィールド間の駆動波形を略式に記したもので、それぞれのサブフィールドの駆動波形は図５の駆動波形と同等なものである。
【００４６】
本実施の形態においては、低温駆動モード、常温駆動モード、高温駆動モードの３つの駆動モードがあり、それらをタイミング発生回路５５で切換えて用いている。また本実施の形態では、走査電極に印加する最大電圧値や、この最大電圧値を印加する回数のいずれかが、それぞれのモードで異なる場合について説明する。
【００４７】
それぞれの駆動モードはともに、１フィールドを１０のサブフィールド（第１ＳＦ、第２ＳＦ、・・・、第１０ＳＦ）に分割し、各サブフィールドはそれぞれ、例えば（１、２、３、６、１１、１８、３０、４４、６０、８０）の輝度重みを持つ。
【００４８】
また各サブフィールドの維持期間においては、それぞれのサブフィールドの輝度重みに所定の輝度倍率を乗じた数の維持パルスが表示電極対のそれぞれに印加される。
【００４９】
図６（ａ）は、低温駆動モードの一例である。低温駆動モードは、パネル１０の温度が低温であっても安定した画像表示を行うことができる駆動モードであり、例えば、プラズマディスプレイ装置が低温の環境下に設置され、かつ電源が投入された直後等、パネルの温度が上昇する前に用いられる駆動モードである。
【００５０】
本実施の形態における低温駆動モードは、第１ＳＦおよび第４ＳＦでは全セル初期化動作を行い、その他のサブフィールドでは選択初期化動作を行う。そして、このときの初期化電圧Ｖｒは、後述する常温駆動モード、高温駆動モードの初期化電圧値ＶｒＣよりも高い電圧値ＶｒＨに設定されている。そのため、黒輝度が上昇し、コントラストが常温駆動モードに比べてやや低下する。
【００５１】
図６（ｂ）は常温駆動モードの一例である。常温駆動モードは通常使用する駆動モードである。本実施の形態においては第１ＳＦおよび第４ＳＦで全セル初期化動作を行い、それ以外のサブフィールドでは選択初期化動作を行う。そして、このときの初期化電圧Ｖｒは低温駆動モードの初期化電圧値ＶｒＨよりも低い電圧値ＶｒＣに設定されている。
【００５２】
図６（ｃ）は高温駆動モードの一例である。高温駆動モードは、パネル１０の温度が高温であっても安定した画像表示を行うことができる駆動モードであり、例えば、プラズマディスプレイ装置が温度の高い環境下に設置され、さらに非常に明るい画像が表示される等して消費電力が増加し、パネル１０が高温になった場合に用いる駆動モードである。本実施の形態における高温駆動モードは、第１ＳＦ、第４ＳＦおよび第６ＳＦで全セル初期化動作を行い、その他のサブフィールドでは選択初期化動作を行う。このときの初期化電圧Ｖｒは、常温駆動モードと同じく電圧値ＶｒＣである。このように高温駆動モードは全セル初期化動作の回数が多いので、コントラストが常温よりやや低下する。
【００５３】
初期化電圧Ｖｒを変化させるには、様々な方法が考えられる。例えば、図５の走査電極ＳＣ１の電圧Ｖｉ１を増加すること、または電圧Ｖｉ１から電圧Ｖｉ２の上昇傾斜を急にして電圧Ｖｉ２を大きくすること等で実現が可能である。
【００５４】
以下に、全セル初期化動作における初期化電圧Ｖｒを制御する方法について、その一例を図面を用いて説明する。
【００５５】
図７は、本発明の（実施の形態１）における走査電極駆動回路５３の回路図である。走査電極駆動回路５３は、維持パルスを発生させる維持パルス発生回路１００、初期化波形を発生させる初期化波形発生回路３００、走査パルスを発生させる走査パルス発生回路４００を備えている。
【００５６】
維持パルス発生回路１００は、走査電極２２を駆動するときの電力を回収して再利用するための電力回収回路１１０と、走査電極２２を電圧Ｖｓにクランプするためのスイッチング素子ＳＷ１と、走査電極２２を０（Ｖ）にクランプするためのスイッチング素子ＳＷ２とを有する。また、走査パルス発生回路４００は、書込み期間において走査パルスを走査電極２２に順次印加する。なお、走査パルス発生回路４００は、初期化期間および維持期間では維持パルス発生回路１００または初期化波形発生回路３００の電圧波形をそのまま出力する。
【００５７】
初期化波形発生回路３００は、ミラー積分回路３１０、３２０を備え、上述した初期化波形を発生させるとともに、全セル初期化動作における初期化電圧Ｖｒの制御を行う。ミラー積分回路３１０は、ＦＥＴ１とコンデンサＣ１と抵抗Ｒ１とを有し、所定の初期化電圧Ｖｒまでランプ状に緩やかに上昇するランプ電圧を発生し、ミラー積分回路３２０は、ＦＥＴ２とコンデンサＣ２と抵抗Ｒ２とを有し、電圧Ｖｉ４までランプ状に緩やかに低下するランプ電圧を発生する。なお、図７には、ミラー積分回路３１０、３２０のそれぞれの入力端子を端子ＩＮ１、端子ＩＮ２として示している。
【００５８】
なお、本実施の形態では、初期化波形発生回路３００として実用的であり比較的構成が簡単なＦＥＴを用いたミラー積分回路を採用しているが、何らこの構成に限定されるものではなく、初期化電圧Ｖｒを制御しつつランプ電圧を発生することができる回路であればどのような回路であってもよい。
【００５９】
次に、初期化波形発生回路３００の動作について説明する。図８は、本発明の（実施の形態１）における全セル初期化期間における走査電極駆動回路５３の動作を説明するためのタイミングチャートである。なお、ここでは、全セル初期化動作を行う駆動電圧波形をＴ１〜Ｔ４で示した４つの期間に分割し、それぞれの期間について説明する。
【００６０】
また、電圧Ｖｉ１、電圧Ｖｉ３、電圧Ｖｉ３’は全て電圧Ｖｓに等しいものとして説明する。なお、以下の説明においてスイッチング素子を導通させる動作をオン、遮断させる動作をオフと表記する。
【００６１】
（期間Ｔ１）
まず、維持パルス発生回路１００のスイッチング素子ＳＷ１をオンにする。するとスイッチング素子ＳＷ１を介して走査電極２２に電圧Ｖｓが印加される。そして、その後スイッチング素子ＳＷ１をオフにする。
【００６２】
（期間Ｔ２）
次に、ミラー積分回路３１０の入力端子ＩＮ１を「ハイレベル」にする。具体的には入力端子ＩＮ１に、例えば電圧１５（Ｖ）を印加する。すると、抵抗Ｒ１からコンデンサＣ１に向かって一定の電流が流れ、ＦＥＴ１のソース電圧がランプ状に上昇し、走査電極駆動回路５３の出力電圧もランプ状に上昇し始める。そしてこの電圧上昇は、入力端子ＩＮ１が「ハイレベル」の間継続する。
【００６３】
この出力電圧が必要な初期化電圧Ｖｒまで上昇したら、その後、入力端子ＩＮ１を「ローレベル」にする。
【００６４】
このようにして、放電開始電圧以下となる電圧Ｖｓ（本実施の形態では、電圧Ｖｉ１、電圧Ｖｉ３、電圧Ｖｉ３’と等しい）から、放電開始電圧を超える初期化電圧Ｖｒ（本実施の形態では、電圧Ｖｉ２と等しい）に向かって緩やかに上昇するランプ電圧を走査電極２２に印加する。
【００６５】
このとき、入力端子ＩＮ１を「ハイレベル」にする時間ｔｒを長くすると初期化電圧Ｖｒを高くすることができ、時間ｔｒを短くすると初期化電圧Ｖｒを低くすることができる。
【００６６】
（期間Ｔ３）
次に、維持パルス発生回路１００のスイッチング素子ＳＷ１をオンにする。すると走査電極２２の電圧が電圧Ｖｓまで低下する。そしてその後スイッチング素子ＳＷ１をオフにする。
【００６７】
（期間Ｔ４）
次に、ミラー積分回路３２０の入力端子ＩＮ２を「ハイレベル」にする。具体的には入力端子ＩＮ２に、例えば電圧１５（Ｖ）を印加する。すると、抵抗Ｒ２からコンデンサＣ２に向かって一定の電流が流れ、ＦＥＴ２のドレイン電圧がランプ状に下降し、走査電極駆動回路５３の出力電圧もランプ状に下降し始める。そして、出力電圧が負の電圧Ｖｉ４に至った後、入力端子ＩＮ２を「ローレベル」とする。
【００６８】
以上のようにして、走査電極２２に対して、放電開始電圧以下となる電圧Ｖｉ１から放電開始電圧を超える初期化電圧Ｖｒに向かって緩やかに上昇するランプ電圧を印加し、その後、電圧Ｖｉ３から電圧Ｖｉ４に向かって緩やかに下降するランプ電圧を印加する。
【００６９】
図６において、初期化電圧ＶｒＨを印加するには、図８の走査電極駆動回路５３の入力端子ＩＮ１を「ハイレベル」にする時間ｔｒを長くし、初期化電圧ＶｒＣを印加するには、時間ｔｒを短くすることで実現することができる。
【００７０】
次に、低温駆動モード、常温駆動モード、高温駆動モードの３つの駆動モードを切換えて用いる理由について説明する。
【００７１】
パネル１０が低温になると、放電開始電圧が上昇する等により全セル初期化動作における初期化放電が不安定になる傾向がある。そして初期化放電が不安定になると発光すべきでない放電セルが発光する等の誤放電現象が発生することがある。そしてこの誤放電は全セル初期化サブフィールドにおける初期化電圧Ｖｒを上げることで低減することができる。
【００７２】
そこで、本実施の形態では、低温駆動モードにおける全セル初期化動作時の初期化電圧Ｖｒを常温駆動モードにおける電圧値ＶｒＣよりも高い電圧値ＶｒＨに設定し、パネル１０が低温であっても安定した全セル初期化動作を行い、安定した画像表示を行っている。
【００７３】
一方パネル１０が高温になると、書込み期間において、いずれかの行の放電セルで書込み放電を発生させている間に、選択されていない行の放電セルの壁電荷が奪われ、本来書込み放電を発生させたいときに壁電圧が不足して書込み放電が発生しないという書込み不良が発生することがある。
【００７４】
そこで、本実施の形態では、高温駆動モードにおける全セル初期化動作の回数を増やすことにより、不足している壁電荷を補充して書込み不良の発生を防いでいる。これにより、パネル１０が高温になった場合であっても安定した画像表示ができるようになる。
【００７５】
このように、パネル１０が高温あるいは低温になると、誤放電や書込み不良等の放電不良が発生する恐れがあり、これら放電不良による表示品質の低下を招く恐れがあるが、本実施の形態においてはこれらの放電不良を低減するために、常温駆動モード、高温駆動モード、低温駆動モードの３つの駆動モードを、タイミング発生回路５５で切換えて用いている。
【００７６】
次に、駆動モードを切換える方法について説明する。パネル１０の温度は、プラズマディスプレイ装置の置かれている環境温度に影響されるのはもちろんであるが、パネルを駆動する回路が発する熱、パネル自身が発する熱、さらにそれらの熱を左右する画像信号等によって複雑に変動する。そのためパネル全体にわたってパネルの温度を正確に検出することは難しく、刻々と変化する表示画像に影響されることなくパネルの温度を検出するためには、多数の温度センサをパネルの各部に配置する必要があり、現実的ではない。
【００７７】
そこで本実施の形態においては、パネル１０の温度を直接に検出するのではなく、パネルの表示画面内に、低温駆動モードによる駆動が必要な領域が発生する可能性があるか、あるいは高温駆動モードによる駆動が必要な領域が発生する可能性があるかを推定し、その結果により駆動モードを切換えて、放電不良を抑えた画像表示を行っている。
【００７８】
図９は、本発明の（実施の形態１）における温度センサ８１が検出した筐体内部の温度（以下、「センサ温度」と略記する）θｓとパネル１０の温度（以下、「パネル温度」と略記する）θｐとの関係を測定した結果を示す図であり、縦軸は温度を、横軸は時間を表す。この測定では、センサ温度θｓがパネル１０の局所的な温度の影響を受けにくくするために、回路基板上に、かつパネル１０に密着しないように温度センサ８１を配置した。
【００７９】
パネル１０のとりうる最低温度を推定するためには、パネル１０の温度が最も低く抑えられるような画像、すなわち全セル非発光パタンを表示し、このときパネル１０の最も低温になる領域の温度を測定し、センサ温度θｓとの差を調べればよい。
【００８０】
図９（ａ）は、全セル非発光パタンを表示したときのパネル温度θｐとセンサ温度θｓとを示す図である。プラズマディスプレイ装置の電源投入後、センサ温度θｓは緩やかに上昇する。一方、パネル温度θｐはさらに緩やかに上昇する。これはパネル１０で放電がほとんど発生しないのでパネル１０自身の発熱が少ないためである。そして本実施の形態においては、１０〜２０分の後、センサ温度θｓとパネル温度θｐとの差がほぼ一定となり、そのときのパネル温度θｐはセンサ温度θｓよりも約７℃低いことが分かった。そこで本実施の形態では、低温補正値ΔθＬを７℃として、センサ温度θｓから低温補正値ΔθＬを引いた温度を最低推定温度θＬとした。
【００８１】
パネル１０のとりうる最高温度を推定するためには、パネル１０の温度が最も高くなるような画像、すなわち全セル発光パタンを表示し、このときパネル１０の最も高温となる領域の温度を測定し、センサ温度θｓとの差を調べればよい。
【００８２】
図９（ｂ）は、全セル発光パタンを表示したときのパネル温度θｐとセンサ温度θｓとを示す図である。プラズマディスプレイ装置の電源投入後、センサ温度θｓは急激に上昇する。一方、パネル温度θｐはさらに急激に上昇する。これは駆動回路の消費電力が大きいことに加えて放電によりパネル１０自身も発熱するためである。そして本実施の形態においても、１０〜２０分の後、センサ温度θｓとパネル温度θｐとの差がほぼ一定となり、そのときのパネル温度θｐはセンサ温度θｓよりも約１０℃高いことが分かった。そこで本実施の形態では高温補正値ΔθＨを１０℃として、センサ温度に高温補正値ΔθＨを加算した温度を最高推定温度θＨとした。
【００８３】
そして本実施の形態においては、最低推定温度θＬ、最高推定温度θＨを
θＬ（ｔ）＝θｓ（ｔ）−ΔθＬｏ
θＨ（ｔ）＝θｓ（ｔ）＋ΔθＨｏ
として求める。ここで、センサ温度θｓ、最低推定温度θＬ、最高推定温度θＨが時間ｔの関数であることを明示するためにそれぞれθｓ（ｔ）、θＬ（ｔ）、θＨ（ｔ）と記した。また、ΔθＬｏ、ΔθＨｏは低温補正値ΔθＬ、高温補正値ΔθＨが所定の値（上記の７℃および１０℃）、すなわち定数であることを表す。
【００８４】
図１０は、本発明の（実施の形態１）における最低推定温度θＬ、最高推定温度θＨと低温しきい値ＴｈＬ、高温しきい値ＴｈＨとの関係を示した概略図である。図面に示すように、最低推定温度θＬ（ｔ）があらかじめ設定されている低温しきい値ＴｈＬ以下であれば低温駆動モードを用いてパネルを駆動し、最高推定温度θＨ（ｔ）があらかじめ設定されている高温しきい値ＴｈＨ以上であれば高温駆動モードを用いてパネルを駆動し、それ以外のときは常温駆動モードでパネルを駆動している。
【００８５】
ところで、図９に示したように、電源投入直後はセンサ温度θｓ（ｔ）とパネル温度θｐ（ｔ）とが等しく、その後、時間の経過とともにセンサ温度θｓ（ｔ）とパネル温度θｐ（ｔ）との差が広がっている。このことに注目すると、パネル温度の推定の精度を上げることが可能である。以下に、パネル温度の推定の精度を上げた実施の形態について説明する。
【００８６】
（実施の形態２）
本発明の（実施の形態２）におけるパネルの構造、駆動電圧波形の概要等は（実施の形態１）と同様である。本実施の形態が（実施の形態１）と異なる点は、プラズマディスプレイ装置の電源投入からの時間経過を計測するタイマ８２を備え、さらに、低温補正値ΔθＬおよび高温補正値ΔθＨが一定値ではなく時間の関数ΔθＬ（ｔ）およびΔθＨ（ｔ）になっている点である。
【００８７】
図１１は、本発明の（実施の形態２）におけるプラズマディスプレイ装置１の回路ブロック図である。
【００８８】
タイマ８２は、単位時間経過毎にカウンター値が一定量増加する一般に知られた時間計測機能を有し、プラズマディスプレイ装置の電源が入れられてからの経過時間ｔを計測し、その経過時間ｔを温度推定回路５８に出力する。
【００８９】
温度推定回路５８は温度センサ８１を有し、温度センサ８１で検出された筐体内部の温度θｓとタイマ８２から出力される経過時間ｔとにもとづき、最低推定温度θＬ、最高推定温度θＨを算出する。
【００９０】
そして、タイミング発生回路５５は、温度推定回路５８から出力される最低推定温度θＬ、最高推定温度θＨにもとづき駆動モードを決定し、その駆動モードでパネル１０を駆動するための各種のタイミング信号を生成し、それぞれの回路ブロックへ出力する。
【００９１】
その他の回路ブロックについては（実施の形態１）と同様である。
【００９２】
次に、最低推定温度θＬの算出方法について説明する。
【００９３】
図１２は、本発明の（実施の形態２）における、低温補正値ΔθＬ（ｔ）および高温補正値ΔθＨ（ｔ）を示す図である。まず低温補正値ΔθＬについて説明する。図１２（ａ）は、本実施の形態における、全セル非発光パタンを表示したときの低温補正値ΔθＬ、センサ温度θｓ、最低推定温度θＬを示す図である。
【００９４】
本実施の形態においては、低温補正値ΔθＬは、電源投入直後の値を０とし、その後、経過時間ｔとともに所定の値ΔθＬｏまで増加する関数になっている。低温補正値ΔθＬの関数としては、例えば指数関数を用いた、
ΔθＬ（ｔ）＝ΔθＬｏ（１−ｅｘｐ（ｔ／ｔＬ））
である。ここで、所定の値ΔθＬｏは図９（ａ）において時間が十分に経過した後のセンサ温度θｓとパネル温度θｐとの温度差であり、ｔＬは指数関数の時定数である。
【００９５】
そして、最低推定温度θＬは、
θＬ（ｔ）＝θｓ（ｔ）−ΔθＬ（ｔ）
として算出している。
【００９６】
高温推定温度θＨについても同様の考え方で算出することができる。図１２（ｂ）は、本実施の形態における、全セル非発光パタンを表示したときの高温補正値ΔθＨ、センサ温度θｓ、最低推定温度θＨを示す図である。すなわち、高温補正値ΔθＨは、電源投入直後の値を０とし、経過時間ｔとともに所定の値ΔθＨｏまで増加する関数になっている。高温補正値ΔθＨの関数として、例えば
ΔθＨ（ｔ）＝ΔθＨｏ（１−ｅｘｐ（ｔ／ｔＨ））
である。ここで、所定の値ΔθＬｏは図９（ｂ）において時間が十分に経過した後のセンサ温度θｓとパネル温度θｐとの温度差であり、ｔＨは指数関数の時定数である。
【００９７】
そして、最高推定温度θＨは、
θＨ（ｔ）＝θｓ（ｔ）−ΔθＨ（ｔ）
として算出している。
【００９８】
このように低温補正値ΔθＬ（ｔ）および高温補正値ΔθＨ（ｔ）を０から所定の値まで経過時間ｔとともに変化する関数として算出することで、最低推定温度θＬ（ｔ）を図９（ａ）に示したパネル温度に、最高推定温度θＨ（ｔ）を図９（ｂ）に示したパネル温度に近づけることができる。そのため、プラズマディスプレイ装置の電源投入後からパネルのとりうる最低温度およびパネルのとりうる最高温度を精度よく推定することができるのでパネルの温度に適した駆動モードを用いてパネルを駆動することができる。
【００９９】
なお、低温補正値ΔθＬ（ｔ）、および高温補正値ΔθＨ（ｔ）の関数形としては、上述したような指数関数が適しているが、例えば折れ線状の関数、
ΔθＬ（ｔ）＝ΔθＬｏ×（ｔ／ｔＬ）  ０≦ｔ＜ｔＬ
＝ΔθＬｏ                ｔ≧ｔＬ
ΔθＨ（ｔ）＝ΔθＨｏ×（ｔ／ｔＨ）  ０≦ｔ＜ｔＨ
＝ΔθＨｏ                ｔ≧ｔＨ
を用いてもよい。ここで、ｔＬは低温補正値ΔθＬ（ｔ）が所定の値ΔθＬｏに等しくなる時間であり、ｔＨは高温補正値ΔθＨ（ｔ）が所定の値ΔθＨｏに等しくなる時間である。
【０１００】
上述したように、低温補正値ΔθＬ（ｔ）および高温補正値ΔθＨ（ｔ）を経過時間ｔの関数とすることで、最低推定温度θＬ（ｔ）および最高推定温度θＨ（ｔ）の推定精度を上げることができる。しかし、プラズマディスプレイ装置の電源を一旦切断し、その直後に再投入する場合を考慮すると注意が必要である。次にこのような場合であってもパネルの温度に適した駆動モードを用いてパネルを駆動することができる実施の形態について説明する。
【０１０１】
（実施の形態３）
本発明の（実施の形態３）におけるパネルの構造、駆動電圧波形の概要等は（実施の形態２）と同様である。本実施の形態が（実施の形態２）と異なる点は、パネルの駆動モードを記憶する記憶部８３をさらに備え、その出力にも依存して低温補正値ΔθＬ（ｔ）および高温補正値ΔθＨ（ｔ）を求める点である。
【０１０２】
図１３は、本発明の（実施の形態３）におけるプラズマディスプレイ装置１の回路ブロック図である。
【０１０３】
タイマ８２は、（実施の形態２）と同様に、プラズマディスプレイ装置の電源が入れられてからの経過時間ｔを計測し、その経過時間ｔを温度推定回路５８に出力する。
【０１０４】
記憶部８３は、パネル１０の駆動モードを記憶する。記憶部８３に記憶される駆動モードは常に更新され、プラズマディスプレイ装置の電源が切られた時点でその更新も停止するが、記憶された駆動モードは電源が切られた後もそのまま保持されている。したがって、次にプラズマディスプレイ装置の電源が投入された時点で記憶部８３に記憶されている駆動モードはプラズマディスプレイ装置の電源が切られる直前の駆動モードである。以下、電源が切られる直前の駆動モードを「電源オフ時モード」と呼称する。
【０１０５】
温度推定回路５８は温度センサ８１を有し、温度センサ８１で検出された筐体内部の温度であるセンサ温度θｓと、タイマ８２から出力される経過時間ｔと、記憶部８３から出力される電源オフ時モードとにもとづき、最低推定温度θＬ、最高推定温度θＨを算出する。
【０１０６】
そして、タイミング発生回路５５は、温度推定回路５８から出力される最低推定温度θＬ（ｔ）、最高推定温度θＨ（ｔ）にもとづき駆動モードを決定し、その駆動モードでパネルを駆動するための各種のタイミング信号を生成し、それぞれの回路ブロックへ出力する。
【０１０７】
その他の回路ブロックについては（実施の形態１）と同様である。
【０１０８】
次に、最低推定温度θＬ（ｔ）および最高推定温度θＨ（ｔ）の算出方法について説明する。
【０１０９】
まず低温補正値ΔθＬ（ｔ）および高温補正値ΔθＨ（ｔ）について説明する。図１４は、本発明の（実施の形態３）における、低温補正値ΔθＬ（ｔ）および高温補正値ΔθＨ（ｔ）を示す図である。本実施の形態においてはこのように電源オフ時モードに依存して低温補正値ΔθＬ（ｔ）および高温補正値ΔθＨ（ｔ）を異ならせている。
【０１１０】
図１４（ａ）に示すように、低温補正値ΔθＬ（ｔ）は、電源オフ時モードが低温駆動モードであれば一定値ΔθＬｏであり、電源オフ時モードが常温駆動モードまたは高温駆動モードであれば経過時間ｔに依存する関数である。図１４には経過時間ｔに依存する関数として指数関数を用いた関数を記載しているが、折れ線状等の関数形であってもよい。
【０１１１】
一方、高温補正値ΔθＨ（ｔ）は、電源オフ時モードが低温駆動モードまたは常温駆動モードであれば経過時間ｔに依存する関数であり、電源オフ時モードが高温駆動モードであれば一定値ΔθＨｏである。
【０１１２】
そして、最低推定温度θＬ（ｔ）および最高推定温度θＨ（ｔ）はそれぞれ、
θＬ（ｔ）＝θｓ（ｔ）−ΔθＬ（ｔ）
θＨ（ｔ）＝θｓ（ｔ）＋ΔθＨ（ｔ）
として算出する。
【０１１３】
本実施の形態において、電源オフ時モードに依存して低温補正値ΔθＬ（ｔ）の関数形を異ならせている理由は次のとおりである。
【０１１４】
例えば、プラズマディスプレイ装置に電源投入の後、比較的暗い画像を表示して、センサ温度θｓが低温しきい値ＴｈＬよりも高くなり、しかしパネル温度θｐが低温しきい値ＴｈＬよりも低いときに一旦電源を切り、その後すぐに電源を入れたとする。
【０１１５】
この場合、パネル温度θｐは低温しきい値ＴｈＬより低いので低温駆動モードで駆動すべきである。このとき仮に、低温補正値ΔθＬ（ｔ）を、０から所定の値ΔθＬｏまで経過時間ｔとともに変化する関数とすると、電源投入直後はｔ＝０であるため、低温補正値ΔθＬ（０）＝０であるために、最低推定温度θＬ（ｔ）＝センサ温度θｓ＞低温しきい値ＴｈＬとなり、常温駆動モードで駆動することになってしまう。
【０１１６】
しかしながら、本実施の形態においては電源オフ時モードが低温駆動モードの場合には、低温補正値ΔθＬ（ｔ）が一定値ΔθＬｏとなるので、最低推定温度θＬ（ｔ）＝センサ温度θｓ−ΔθＬｏ＜低温しきい値ＴｈＬとなり、正しく低温駆動モードで駆動することができる。
【０１１７】
高温補正値ΔθＬ（ｔ）の関数形を電源オフ時モードに依存して異ならせている理由も同様である。例えば、プラズマディスプレイ装置に電源投入の後、比較的明るい画像を表示して、パネル温度θｐが高温しきい値ＴｈＨよりも高くなり、しかしセンサ温度θｓが高温しきい値ＴｈＨよりも低いときに一旦電源を切り、その後すぐに電源を入れたとする。この場合、パネル温度θｐは高温しきい値ＴｈＨより高いので高温駆動モードで駆動すべきである。
【０１１８】
このとき仮に、高温補正値ΔθＨ（ｔ）を、０から所定の値ΔθＨｏまで経過時間ｔとともに変化する関数とすると、電源投入直後はｔ＝０であるため、高温補正値ΔθＨ（０）＝０であるために、最高推定温度θＨ（ｔ）＝センサ温度θｓ＜高温しきい値ＴｈＨとなり、常温駆動モードで駆動することになってしまう。しかしながら、本実施の形態においては電源オフ時モードが高温駆動モードの場合には、高温補正値ΔθＨ（ｔ）が一定値ΔθＨｏとなるので、最高推定温度θＨ（ｔ）＝センサ温度θｓ＋ΔθＨｏ＞高温しきい値ＴｈＨとなり、正しく高温駆動モードで駆動することができる。
【０１１９】
なお、高温補正値ΔθＨ（ｔ）については経過時間ｔの関数とはせずに、一定値ΔθＨｏとしてもよい。図１５は、高温補正値ΔθＨ（ｔ）を一定値ΔθＨｏとした、本発明の他の実施の形態における低温補正値ΔθＬ（ｔ）および高温補正値ΔθＨ（ｔ）を示す図である。なお、図１５では、低温補正値ΔθＬ（ｔ）、および高温補正値ΔθＨ（ｔ）の関数形として折れ線状の関数、
ΔθＬ（ｔ）＝ΔθＬｏ×（ｔ／ｔＬ）  ０≦ｔ＜ｔＬ
＝ΔθＬｏ                ｔ≧ｔＬ
ΔθＨ（ｔ）＝ΔθＨｏ×（ｔ／ｔＨ）  ０≦ｔ＜ｔＨ
＝ΔθＨｏ                ｔ≧ｔＨ
を用いた例を示している。ここで、ｔＬは低温補正値ΔθＬ（ｔ）が所定の値ΔθＬｏに等しくなる時間であり、ｔＨは高温補正値ΔθＨ（ｔ）が所定の値ΔθＨｏに等しくなる時間である。
【０１２０】
低温補正値ΔθＬ（ｔ）については経過時間ｔの関数または一定値とし、高温補正値ΔθＨ（ｔ）については経過時間ｔの関数とはせずに、一定値ΔθＨｏとした理由は以下のとおりである。
【０１２１】
低温駆動モードは、プラズマディスプレイ装置が低温環境下に置かれ、かつ電源投入時からパネルが温まるまでに用いる駆動モードであるので、電源投入時にパネル温度θｐが低温しきい値ＴｈＬより高ければ、それ以降も低温駆動モードで駆動する可能性はほとんどない。したがって、最低推定温度θＬ（ｔ）については、電源オフ時モードが常温駆動モードまたは高温駆動モードであれば低温補正温度ΔθＬ（ｔ）を経過時間ｔに依存する関数として算出することが望ましい。
【０１２２】
しかし、明るい画像を表示したときのパネル温度θｐは比較的速やかに上昇するため、高温補正値を一定値ΔθＨｏとして求めた最高推定温度θＨ（ｔ）が高温しきい値ＴｈＨ以上の場合には、短時間のうちにパネル温度θｐも高温しきい値ＴｈＨを超える可能性が高いので、最初から高温駆動モードで駆動しても大きな問題はない。
【０１２３】
なお、駆動モードを切換える際にヒステリシス特性を持たせて、駆動モードの頻繁な切換えを抑制してもよい。図１６は、本発明の（実施の形態３）における最高推定温度θＨと高温しきい値ＴｈＨとの関係の一例を示す図である。上述した駆動モードの切換え時において、黒を表示している領域の輝度（以下、「黒輝度」と略記する）が変化する。これは、黒輝度が全セル初期化動作に伴う放電の発光で決まり、初期化回数や初期化電圧Ｖｒに依存するためである。
【０１２４】
そして本実施の形態においては、１フィールド期間内に、常温駆動モードでは全セル初期化回数が２回、高温駆動モードでは全セル初期化回数が３回あるので、図１６（ａ）に示すように最高推定温度θＨが高温しきい値ＴｈＨを挟んで頻繁に変動すると全セル初期化回数も頻繁に変動し黒輝度の変化が目立ちやすくなる。
【０１２５】
そこで本実施の形態においては、図１６（ｂ）に示すように、２つの高温しきい値ＴｈＨ１、ＴｈＨ２を設け、常温駆動モードから高温駆動モードへ切換えるときの高温しきい値ＴｈＨ１を、高温駆動モードから常温駆動モードへ切換える高温しきい値ＴｈＨ２よりも高く設定してヒステリシス特性を持たせることで、駆動モードの頻繁な切換えを防いでいる。
【０１２６】
低温しきい値についても同様に、ヒステリシス特性を持たせることも可能である。
【０１２７】
また、本実施の形態では、放電ガスのキセノン分圧を１０％としたが、他のキセノン分圧であってもそのパネルに応じた駆動電圧に設定すればよい。
【０１２８】
また、本実施の形態において用いた具体的な各数値は、単に一例を挙げたに過ぎず、パネルの特性やプラズマディスプレイ装置の仕様等に合わせて、適宜最適な値に設定することが望ましい。
【産業上の利用可能性】
【０１２９】
本発明のパネルの駆動方法およびプラズマディスプレイ装置は、温度センサが検出した温度にもとづきパネルのとりうる最高推定温度および最低推定温度を推定し、その最高推定温度または最低推定温度に応じた駆動を行うことで画像の表示品質を向上することが可能であり、パネルの駆動方法およびプラズマディスプレイ装置として有用である。
【図面の簡単な説明】
【０１３０】
【図１】本発明の（実施の形態１）におけるパネルの構造を示す分解斜視図
【図２】同パネルの電極配列図
【図３】同パネルを備えたプラズマディスプレイ装置の回路ブロック図
【図４】本発明の（実施の形態１）におけるプラズマディスプレイ装置の温度センサの取り付け位置を示す図
【図５】同パネルの各電極に印加する駆動電圧波形図
【図６】本発明の（実施の形態１）におけるサブフィールド構成を示す図
【図７】本発明の（実施の形態１）における走査電極駆動回路の回路図
【図８】本発明の（実施の形態１）における全セル初期化期間における走査電極駆動回路の動作を説明するためのタイミングチャート
【図９】本発明の（実施の形態１）における温度センサが検出した筐体内部の温度とパネルの温度との関係を測定した結果を示す図
【図１０】本発明の（実施の形態１）における最低推定温度、最高推定温度と低温しきい値、高温しきい値との関係を示した概略図
【図１１】本発明の（実施の形態２）におけるプラズマディスプレイ装置の回路ブロック図
【図１２】本発明の（実施の形態２）における、低温補正値および高温補正値を示す図
【図１３】本発明の（実施の形態３）におけるプラズマディスプレイ装置の回路ブロック図
【図１４】本発明の（実施の形態３）における、低温補正値および高温補正値を示す図
【図１５】本発明の他の実施の形態における低温補正値および高温補正値を示す図
【図１６】本発明の（実施の形態３）における最高推定温度と高温しきい値との関係の一例を示す図
【符号の説明】
【０１３１】
１    プラズマディスプレイ装置
１０    パネル
２１    （ガラス製の）前面板
２２    走査電極
２３    維持電極
２４，３３    誘電体層
２５    保護層
３１    背面板
３２    データ電極
３４    隔壁
３５    蛍光体層
５１    画像信号処理回路
５２    データ電極駆動回路
５３    走査電極駆動回路
５４    維持電極駆動回路
５５    タイミング発生回路
５８    温度推定回路
８１    温度センサ
８２    タイマ
８３    記憶部
８６    熱伝導シート
８７    アルミシャーシ
８８    ボス材
８９    回路基板
１００，２００    維持パルス発生回路
１１０    電力回収回路
３００    初期化波形発生回路
３１０，３２０    ミラー積分回路
４００    走査パルス発生回路
【図１】
0004816136.tif 000002
【図２】
0004816136.tif 000003
【図３】
0004816136.tif 000004
【図４】
0004816136.tif 000005
【図５】
0004816136.tif 000006
【図６】
0004816136.tif 000007
【図７】
0004816136.tif 000008
【図８】
0004816136.tif 000009
【図９】
0004816136.tif 000010
【図１０】
0004816136.tif 000011
【図１１】
0004816136.tif 000012
【図１２】
0004816136.tif 000013
【図１３】
0004816136.tif 000014
【図１４】
0004816136.tif 000015
【図１５】
0004816136.tif 000016
【図１６】
0004816136.tif 000017